(57)【要約】      （修正有）【課題】イーゼルを別途用意することなく、届いた絵画や写真パネルなどの板状鑑賞品を迅速に披露することができ、板状鑑賞品の取り出し後に有効活用が可能なイーゼル機能付き収容箱を提供する。【解決手段】板状鑑賞品を収容可能な箱本体２に、この箱本体２に被せられる蓋部３が連結された収容箱１であって、蓋部３には、上端が蓋部３における箱本体２との連結箇所と反対側に連結されたイーゼル板を有し、このイーゼル板の下端を引き出して蓋部３との連結箇所と反対側における箱本体２内に配置させて傾斜した状態に支持させることにより、イーゼル板に板状鑑賞品が立て掛け可能とされる。【選択図】図８
0003140210.tif 000002
【実用新案登録請求の範囲】
【請求項１】
板状鑑賞品を収容可能な箱本体に、この箱本体に被せられる蓋部が連結された収容箱であって、
前記蓋部は、上端が前記蓋部における前記箱本体との連結箇所と反対側に連結されたイーゼル板を有し、
このイーゼル板の下端を引き出して前記蓋部との連結箇所と反対側における箱本体内に配置させて傾斜した状態に支持させることにより、前記イーゼル板に前記板状鑑賞品が立て掛け可能とされることを特徴とするイーゼル機能付き収容箱。
【請求項２】
前記イーゼル板には、裏面側方へ折り返し可能な補強板部を有することを特徴とする請求項１に記載のイーゼル機能付き収容箱。
【請求項３】
前記箱本体側には、傾斜した状態に支持させた前記イーゼル板の前記補強板部に係止し、前記補強板部の折り返し状態を維持するストッパが設けられていることを特徴とする請求項２に記載のイーゼル機能付き収容箱。
【請求項４】
前記蓋部には、前記箱本体との連結箇所と反対側に、前記箱本体に被せられた状態にて前記箱本体に形成された係止孔に差込み可能な係止片が設けられ、該係止片は、前記イーゼル板に立て掛けられる前記板状鑑賞品の上端に係止可能とされていることを特徴とする請求項１から３のいずれか一項に記載のイーゼル機能付き収容箱。
【考案の詳細な説明】
【技術分野】
【０００１】
本考案は、絵画や写真パネルなどを収容する収容箱に係り、特に、イーゼル機能を有する収容箱に関する。
【背景技術】
【０００２】
一般に、額縁に入れられた絵画は、収容箱に収容した状態に梱包されて運搬される（例えば、特許文献１参照）。そして、この絵画は、収容箱から取り出された後、壁掛けされて展示される。
ところで、届いた絵画を壁掛けする前に、収容箱から取り出してすぐに披露する場合もあり、このような場合は、収容箱から取り出した絵画を、別途に用意したイーゼルによって立てかけることが行われる。
【特許文献１】実用新案登録第３０８６８６０号公報
【考案の開示】
【考案が解決しようとする課題】
【０００３】
しかしながら、イーゼルを用意することができない場合、収容箱から取り出した絵画をすぐに披露することが困難であった。
また、絵画が収容されていた運搬用の収容箱は、絵画を取り出した後に廃棄されるため、資源の無駄を生じていた。
【０００４】
本考案は、上記事情に鑑みてなされたもので、イーゼルを別途用意することなく、届いた絵画や写真パネルなどの板状鑑賞品を迅速に披露することができ、板状鑑賞品の取り出し後に有効活用が可能なイーゼル機能付き収容箱を提供することを目的としている。
【課題を解決するための手段】
【０００５】
上記目的を達成するために、本考案のイーゼル機能付き収容箱は、板状鑑賞品を収容可能な箱本体に、この箱本体に被せられる蓋部が連結された収容箱であって、  前記蓋部は、上端が前記蓋部における前記箱本体との連結箇所と反対側に連結されたイーゼル板を有し、このイーゼル板の下端を引き出して前記蓋部との連結箇所と反対側における箱本体内に配置させて傾斜した状態に支持させることにより、前記イーゼル板に前記板状鑑賞品が立て掛け可能とされることを特徴とする。
【０００６】
この構成のイーゼル機能付き収容箱によれば、蓋部に設けられたイーゼル板の下端側を引き出して蓋部との連結箇所と反対側における箱本体内に配置させて傾斜した状態に支持させることにより、このイーゼル板に板状鑑賞品を容易に立て掛けて展示することができる。
これにより、イーゼルを別途用意することができないような場合でも、届いた板状鑑賞品を、収容箱から取り出した後に、収容箱を用いてすぐに展示して披露することができる。このように、板状鑑賞品を取り出した後に、収容箱を廃棄することなく有効に用いることができ、資源の無駄を抑えることができる。
【０００７】
また、前記イーゼル板には、裏面側方へ折り返し可能な補強板部を有するものでも良い。
この構成によれば、イーゼル板に、裏面側方へ折り返し可能な補強板部を設けたので、イーゼル板の強度を高めて座屈を抑制することができ、板状鑑賞品を良好に展示することができる。
【０００８】
また、前記箱本体側には、傾斜した状態に支持させた前記イーゼル板の前記補強板部に係止し、前記補強板部の折り返し状態を維持するストッパが設けられていても良い。
この構成によれば、補強板部の折り返し状態を維持するストッパを箱本体側に設けたので、折り返した補強板部の戻りを抑制し、補強板部によるイーゼル板の補強効果を維持して、板状鑑賞品を良好に展示することができる。
【０００９】
また、前記蓋部には、前記箱本体との連結箇所と反対側に、前記箱本体に被せられた状態にて前記箱本体に形成された係止孔に差込み可能な係止片が設けられ、該係止片は、前記イーゼル板に立て掛けられる前記板状鑑賞品の上端に係止可能とされていても良い。
この構成によれば、箱本体に形成された係止孔に差込んで蓋部を閉じた状態に維持する蓋部の係止片が、イーゼル板に立て掛けられる板状鑑賞品の上端に係止可能とされているので、展示状態の板状鑑賞品の転倒を抑制することができ、良好な展示状態を維持することができる。
【考案の効果】
【００１０】
本考案のイーゼル機能付き収容箱によれば、イーゼルを別途用意することなく、届いた絵画や写真パネルなどの板状鑑賞品を迅速に披露することができ、板状鑑賞品の取り出し後に有効活用できる。
【考案を実施するための最良の形態】
【００１１】
以下、本考案に係るイーゼル機能付き収容箱の実施形態について図面を参照して説明する。
図１は板状鑑賞品を収容した状態の収容箱の斜視図、図２は収容箱の斜視図、図３は収容箱の平面図、図４は収容箱の分解斜視図、図５は収容箱の展開図、図６は枠体の展開図、図７はイーゼル板を引き出した状態の収容箱の斜視図、図８はイーゼル板を支持させた状態の収容箱の斜視図、図９は板状鑑賞品を立て掛けた状態の収容箱の斜視図である。
【００１２】
図１から図３に示すように、イーゼル機能付き収容箱１は、ダンボールなどの厚紙から形成されたもので、平面視矩形状の箱本体２と、この箱本体２の後端に連結されて箱本体２に被せられる蓋部３とを有している。
図４に示すように、箱本体２には、その内部に、枠体４が嵌め込まれており、この枠体４の内側が、絵画や写真パネル等の矩形状に形成された板状鑑賞品Ａの収容空間Ｓとされ、この収容空間Ｓ内に、板状鑑賞品Ａが収容されるようになっている。
【００１３】
枠体４は、その左右における下端から内方へ向かって屈曲された側方ストッパ板部１１、前側における下端から内方へ向かって屈曲された前方ストッパ板部（ストッパ）１２及び後側における下端から内方へ向かって屈曲された後方ストッパ板部１３を有している。また、前方ストッパ板部１２には、後述するイーゼル板２１の底板部２１ａを係止する係止片部１４が形成されている。また、枠体４には、その後方側における内方側に、切込部１５が形成されている。
【００１４】
そして、このように、枠体４に、これら側方ストッパ板部１１、前方ストッパ板部１２及び後方ストッパ板部１３を形成することにより、運搬時などにて、収容空間Ｓ内に収容した板状鑑賞品Ａが揺れたとしても、枠体４の下方への板状鑑賞品Ａの潜り込みが抑制され、良好な収容状態が維持される。
【００１５】
蓋部３には、その内面側に、上端側が蓋部３に接着固定されたイーゼル板２１を有しており、このイーゼル板２１は、蓋部３に接着固定された上端側を支点として揺動可能とされている。このイーゼル板２１には、その下端近傍に、イーゼル部２２が設けられている。このイーゼル部２２は、折り曲げ線Ｘにて裏面側方へ折り返し可能な一対の補強板部２３を有している。また、この補強板部２３の下方側は、折り曲げ線Ｙにて手前に折り曲げ可能な底板部２１ａとされている。
【００１６】
また、蓋部３には、箱本体２との連結側と反対側に、係止片２４が形成されており、この係止片２４は、蓋部３を箱本体２に被せた状態にて、箱本体２における蓋部３との連結側と反対側に形成された係止孔２５に差込み可能とされている。そして、この係止片２４を係止孔２５に差し込むことにより、箱本体２に対して蓋部３が係止され、箱本体２が閉じた状態に維持される。
【００１７】
ここで、図５は収容箱１の展開図であり、収容箱１は、図５のような展開した状態の厚紙を、二点鎖線にて示す部分を折り曲げることにより、箱本体２に、イーゼル板２１を有する蓋部３が連結された状態に組み立てられる。なお、イーゼル板２１の破線で示す折り曲げ線Ｘ，Ｙはミシン目とされており、このミシン目部分にて容易に折り曲げ可能とされている。
また、図６は収容箱１の箱本体２内に嵌め込まれる枠体４の展開図であり、この枠体４も、図６のような展開した状態の厚紙を、二点鎖線にて示す部分を折り曲げることにより組み立てられる。
【００１８】
そして、上記収容箱１では、図７に示すように、蓋部３に設けられたイーゼル板２１の下端側を手前に引き出してイーゼル部２２の補強板部２３を裏面側方へ折り返し、底板部２１ａを手前に折り曲げて蓋部３との連結箇所と反対側における箱本体２の枠体４内に配置させて枠体４の前方ストッパ板部１２の係止片部１４に係止させることにより、図８に示すように、イーゼル板２１が傾斜した状態に支持され、この傾斜状態のイーゼル板２１に、板状鑑賞品Ａが立て掛け可能とされる。また、このとき、裏面側方へ折り返した補強板部２３を、前方ストッパ板部１２の側縁よりも外側まで開く。このようにすると、折り返した補強板部２３が前方ストッパ板部１２の側縁に係止されるので、補強板部２３が戻って閉じるようなことがない。
【００１９】
このようにして、イーゼル板２１を傾斜した状態に支持させ、イーゼル板２１の傾斜に沿って板状鑑賞品Ａを立て掛けることにより、図９に示すように、板状鑑賞品Ａが収容箱１によって展示される。また、箱本体２と枠体４との隙間に、作品札Ｂを差し込むことにより、収容箱１によって展示する作品を表示することができる。
また、このように収容箱１に板状鑑賞品Ａを展示すると、蓋部３を箱本体２に係止させるための係止片２４が、板状鑑賞品Ａの上部を係止することとなり、板状鑑賞品Ａの転倒が防止される。
【００２０】
次に、上記の収容箱１を使用する場合について、具体的な手順に沿って説明する。
図１０は収容箱１の使用手順を示す図、図１１は鑑賞品の壁への展示手順を示す図である。
まず、蓋部３の係止片２４を、箱本体２の係止孔２５から抜き取ることにより、箱本体２に対する蓋部３の係止を解除し、図１０（ａ）に示すように、蓋部３を開いて箱本体２を開放する。
【００２１】
次に、図１０（ｂ）に示すように、箱本体２内の収容空間Ｓから板状鑑賞品Ａ、作品札Ｂ及び付属品が入った封筒Ｃを取り出す。このとき、枠体４には、その後方側における内方側に切込部１５が形成されているので、この切込部１５に指を入れることにより、収容空間Ｓ内の板状鑑賞品Ａを容易に取り出すことができる。
【００２２】
そして、図１０（ｃ）に示すように、蓋部３に設けられたイーゼル板２１を手前に引き出し、イーゼル部２２の補強板部２３を裏面側方へ折り返して底板部２１ａを手前に折り曲げ、枠体４の前方ストッパ板部１２の係止片部１４に底板部２１ａを係止させ、図１０（ｄ）に示すように、イーゼル板２１を傾斜した状態に支持させ、イーゼル板２１に板状鑑賞品Ａを立て掛ける。
このようにすると、イーゼル板２１の傾斜に沿って板状鑑賞品Ａが立て掛けられて展示可能な状態となる。なお、作品札Ｂは、箱本体２と枠体４との隙間に差し込む。
【００２３】
上記のような展示状態から板状鑑賞品Ａを壁に展示する場合は、図１１（ａ）に示すように、箱本体２から取り出した封筒Ｃ内の壁掛け用の付属品Ｄを壁Ｗに固定し、図１１（ｂ）に示すように、付属品Ｄに板状鑑賞品Ａの裏面を係止させる。なお、板状鑑賞品Ａに貼り付けられている銘板Ｅは、板状鑑賞品Ａから剥がし取り、板状鑑賞品Ａの側方における壁Ｗに貼り付ける。
【００２４】
以上、説明したように、上記実施形態に係るイーゼル機能付き収容箱によれば、蓋部３に設けられたイーゼル板２１の下端側を引き出して蓋部３との連結箇所と反対側における箱本体２内に配置させて傾斜した状態に支持させることにより、このイーゼル板２１に板状鑑賞品Ａを容易に立て掛けて展示することができる。
これにより、イーゼルを別途用意することができないような場合でも、届いた板状鑑賞品Ａを、収容箱１から取り出した後に、収容箱１を用いてすぐに展示して披露することができる。このように、板状鑑賞品Ａを取り出した後に、収容箱１を廃棄することなく有効に用いることができ、資源の無駄を抑えることができる。
【００２５】
また、イーゼル板２１に、裏面側方へ折り返し可能な補強板部２３を設けたので、イーゼル板２１の強度を高めて座屈を抑制することができ、板状鑑賞品Ａを良好に展示することができる。
【００２６】
しかも、補強板部２３の折り返し状態を維持する前方ストッパ板部１２を箱本体２側の枠体４に設けたので、折り返した補強板部２３の戻りを抑制し、補強板部２３によるイーゼル板２１の補強効果を維持して、板状鑑賞品Ａを良好に展示することができる。
【００２７】
また、箱本体２に形成された係止孔２５に差込んで蓋部３を閉じた状態に維持する蓋部３の係止片２４が、イーゼル板２１に立て掛けられる板状鑑賞品Ａの上端に係止可能とされているので、展示状態の板状鑑賞品Ａの転倒を抑制することができ、良好な展示状態を維持することができる。
【００２８】
なお、上記実施形態では、イーゼル板２１のイーゼル部２２に、一対の補強板部２３を設けたが、補強板部２３は一つであっても良い。
【図面の簡単な説明】
【００２９】
【図１】板状鑑賞品を収容した状態の収容箱の斜視図である。
【図２】収容箱の斜視図である。
【図３】収容箱の平面図である。
【図４】収容箱の分解斜視図である。
【図５】収容箱の展開図である。
【図６】枠体の展開図である。
【図７】イーゼル板を引き出した状態の収容箱の斜視図である。
【図８】イーゼル板を支持させた状態の収容箱の斜視図である。
【図９】板状鑑賞品を立て掛けた状態の収容箱の斜視図である。
【図１０】収容箱の使用手順を示す図である。
【図１１】板状鑑賞品の壁への展示手順を示す図である。
【符号の説明】
【００３０】
１…収容箱、２…箱本体、３…蓋部、１２…前方ストッパ板部（ストッパ）、２１…イーゼル板、２３…補強板部、２４…係止片、２５…係止孔、Ａ…板状鑑賞品。
【図１】
0003140210.tif 000003
【図２】
0003140210.tif 000004
【図３】
0003140210.tif 000005
【図４】
0003140210.tif 000006
【図５】
0003140210.tif 000007
【図６】
0003140210.tif 000008
【図７】
0003140210.tif 000009
【図８】
0003140210.tif 000010
【図９】
0003140210.tif 000011
【図１０】
0003140210.tif 000012
【図１１】
0003140210.tif 000013